(57)【要約】【課題】  ケースの傾きに対応してヘッドが回動でき、同じ量のヘッドの傾きに対し従来よりテープの捩れが小さい転写具、ヘッドの曲げを規制しヘッドが破損を防止する転写具を提供する。【解決手段】    転写ヘッド１１はヘッド圧着部１２、軸部２４、取付け固定部２８を備え、取付け固定部でケース２に固定される。軸部は弾性を有する。軸部の長手方向途中上下に軸部の上下への移動を規制する規制部材４６、４７を設ける。ケースが傾いた場合、軸部が捩れて圧着部は回転できる。圧着部は軸部と規制部材との当接位置を支点として回転する形となり、同じ移動量でも回転角度が小さく、テープの捩れが少なくなる。圧着部のテープガイド部外表面に溝１８が形成され、その溝にケースの窓孔２ａの枠部の突条５６が幅方向僅かな隙間で嵌る。軸部が曲がると溝の側面と突条の側面が当接し、曲げを制限する。【選択図】図２
2006281495.tif 000002
【特許請求の範囲】
【請求項１】
ケースと、該ケース内に回動可能に支承されたテープ供給リールと、先端の転写部をケースの外部に臨ませた状態でケースに取付けられた転写ヘッドと、前記供給リールから引出され、前記転写ヘッド先端を経たテープを巻き取る巻取りリールとを備えた塗膜転写具において、前記転写ヘッドは、先端が前記転写部となった板状部を備えたヘッド圧着部と、前側端部において前記ヘッド圧着部の後端縁部に固着されて後方へ伸び、後方端部において前記ケースに対して固着された弾性変形可能な軸部とを備え、前記テープは前記ヘッド圧着部の前側縁部を回り、前記板状部の上下側面に対向して移動し、記塗膜転写具はさらに、前記軸部の長手方向の途中の位置で前記軸部の上側に配置され、前記軸部が前記板状部の前記上下側面に垂直で前記軸部の伸びる方向で広がる面内で上側へ移動しようとするときに、該軸部に当接してその移動を規制する規制部材を備えていることを特徴とする、塗膜転写具。
【請求項２】
請求項１記載の塗膜転写具において、前記塗膜転写具はさらに、前記軸部の長手方向の途中の位置で前記軸部の下側に配置され、前記軸部が前記板状部の前記上下側面に垂直で前記軸部の伸びる方向で広がる面内で下側へ移動しようとするときに、該軸部に当接してその移動を規制する第２の規制部材を備えていることを特徴とする、塗膜転写具。
【請求項３】
請求項１又は２記載の塗膜転写具において、前記軸部は、該軸部の軸方向に直交する面での断面が、上下方向の長さが横方向の長さより長くなっていることを特徴とする塗膜転写具。
【請求項４】
請求項１乃至３のいずれか１に記載の塗膜転写具において、前記ヘッド圧着部が前記ヘッド圧着部の前記上下側面に垂直で前記軸部の伸びる方向に広がる面内で移動するときに、その移動を予め定められた範囲内に制限する手段を備えていることを特徴とする、塗膜転写具。
【請求項５】
請求項４記載の塗膜転写具において、前記ヘッド圧着部にはその横方向両側部において前記板状部に直交する方向に広がるテープガイド部が設けられ、前記テープガイド部が前記ケースに当接することにより前記ヘッド圧着部の移動を制限することを特徴とする塗膜転写具。
【請求項６】
請求項５記載の塗膜転写具において、前記ケースには前記転写ヘッドのヘッド圧着部が挿通される窓孔が形成され、前記テープガイド部の外表面と前記窓孔の前記外表面に対面する枠部とのいずれか一方には上下方向に伸びる溝が形成され、他方には前記溝に嵌る突条部が形成され、前記溝の側面とそれに対向する前記突条部の側面との間には僅かな隙間が設けられており、前記ヘッド圧着部が前記ヘッド圧着部の前記上下側面に垂直で前記軸部の伸びる方向に広がる面内で移動するときに、前記溝の前後の側面の少なくともいずれかに前記突条部の前後の側面のうち対面する側面が当接して前記ヘッド圧着部のそれ以上の移動を制限することいることを特徴とする塗膜転写具。
【請求項７】
請求項６記載の塗膜転写具において、前記溝の底面とそれに対向する前記突条部の先端面との間には、前記ヘッド圧着部が回動するときにその回動の妨げとならないだけの十分な隙間が設けられていることを特徴とする塗膜転写具。
【請求項８】
請求項６又は７記載の塗膜転写具において、前記溝は前記テープガイドに形成され、前記突条部は前記枠部に形勢されていることを特徴とする塗膜転写具。
【発明の詳細な説明】
【技術分野】
【０００１】
本発明は塗膜転写具に関し、さらに詳細に言えば、塗膜の転写中に転写ヘッドが必要に応じて回動でき、且つ元の位置に自動復帰する塗膜転写具に関する。
【背景技術】
【０００２】
従来からプラスチック製などのテープ基材に修正塗膜などを塗布した塗膜テープを使用した塗膜転写具が使用されている。転写するには、このテープを供給リールから板状の転写ヘッドの先端を回して巻取りリールへと伸ばし、ヘッド先端をを被転写部に圧着しながら転写具を移動させる。転写ヘッドは後端側がケースに固定された板状部材として構成されている例が多い。ところでこの転写具で曲線的に転写しようとするとケースが傾いてしまう場合が多い。また直線的に移動させていても意図せずにケースが傾く場合がある。このような場合、転写ヘッド先端部が均一に被転写部に接触せず、先端部の片側が被転写部から離れてしまい、転写に不具合が生じる。
【０００３】
この問題に対処して、特許第３３０６４６４号に開示されたと膜転写具では、圧着ブレードをその装着部において圧着ブレードホルダーにより装着部の軸芯回りに回転可能に支持し、その装着部から前方へ軸部を伸ばしてその先端にテープを圧着する先端部を一体に設け、一方装着部の後端側に一端が固定されたコイルバネの他端側を取付け、これによりブレードが装着部の軸芯回りに回転し、バネにより元の位置に戻されるようになっている。
【特許文献１】特開２００２−８６９８６号公報
【発明の開示】
【発明が解決しようとする課題】
【０００４】
ところで、特許第３３０６４６４号ではブレードは装着部の軸芯回りに回転するので、それに伴ってその回転角度分だけテープが捩じれる。また、同特許では圧着ブレードが転写テープ面に対して−９０度から＋９０度の範囲で回転することが望ましいとしている。そのため、テープの両側縁をガイドするガイド部などを備えたブレードの先端部は完全にケースの外側に位置している。そしてブレードを突出させるためにケースに設けられた窓孔は、ブレードが大きく回転してもテープの移動の障害とならないように、窓孔を通過する軸部の径に対してきわめて大きくなっている。このため、軸部に大きな曲げ力が作用した場合、曲げ量を制限するものが無いために大きく曲げられ、破損してしまう可能性が有る。
【０００５】
一般的に被転写部の曲がり方が大きければそれだけヘッドの回転量も大きくなる。しかしヘッドが必要に応じて回転できることは望ましいが、余りに急なカーブに沿って転写した場合、ブレード先端の圧着部はその左右端部で移動量が大幅に異なり、テープに引出しがスムーズに行えず、良好な転写は行えない。また、その場合にテープ自体の捩じれも大きくなり、テープの外れなどの問題も生じうる。しかし、通常の使い方をする場合においてはヘッドが回転できる角度範囲はもっと小さくても十分である。
【０００６】
本願発明は上記従来の問題点に鑑みなされたものであり、本願発明者が得た、転写ヘッドのヘッド圧着部をケースの傾きに対応して回転させるには、前記のように装着部をその軸芯回りに回転させるという構成によらなくても可能であるとの知見に基づき、先ず第１に特許第３３０６４６４号とは全く異なる技術的思想によるヘッド圧着部がケースの傾きに応じて回転できる塗膜転写具を提供することその課題とする。また、同じ量だけヘッドが傾いても従来よりテープの捩れが小さい転写具を提供することをその課題とする。また、ヘッドのがある範囲でスムーズに回転できる一方、ヘッドに曲げが作用してもヘッドが破損することのない転写具を提供することも本発明の課題である。
【課題を解決するための手段】
【０００７】
上記課題を解決するために本発明に係る塗膜転写具においては、その転写ヘッドは、先端が前記転写部となった板状部を備えたヘッド圧着部と、前側端部においてヘッド圧着部の後端縁部に固着されて後方へ伸び、後方端部においてケースに対して固着された弾性変形可能な軸部とを備えるように構成するとともに、この転写ヘッドに対して、転写ヘッドの軸部の長手方向の途中の位置で軸部の上側に配置され、軸部が板状部の上下平面に垂直で軸部の伸びる方向に広がる面内で上側へ移動しようとするときにその軸部に当接してその移動を規制する規制部材を設けた。これによりケースの傾きに対応してヘッド圧着部が回動できるとともに、圧着部の同じ移動量に対して回転角度が小さくでき、テープの捩れを少なくできる。
ある実施の形態では軸部の下側にも第２の規制部材を設けた。これにより転写具を天地逆にして押し引き状態で使用する場合にも同様の効果を得られる。
ある実施の形態では、ヘッド圧着部がヘッド圧着部の上下面に垂直で軸部の伸びる方向に広がる面内で移動するときに、その移動を予め定められた範囲内に制限する手段を備えている。
より具体的構成としては、ヘッド圧着部にはその横方向両側部において板状部に直交する方向に広がるテープガイド部が設けられ、テープガイド部がケースに当接することによりヘッド圧着部の移動を制限する。
さらに具体的構成としては、ケースには転写ヘッドのヘッド圧着部が挿通される窓孔が形成され、テープガイド部の外表面と窓孔のテープガイド外表面に対向する枠部とのいずれか一方には上下方向に伸びる溝が形成され、他方にはその溝に嵌る突条部が形成され、溝の側面とそれに対向する突条部の側面との間には僅かな隙間が設けられ、ヘッド圧着部がその上下側面に垂直で軸部の伸びる方向に広がる面内で移動するときに、溝の前後の側面の少なくともいずれかに突状部のそれに対面する側面が当接して圧着部のそれ以上の移動を制限するようになっている。
さらには、溝の衛面とそれに対向する突条部の先端面との間には、ヘッド圧着部が回動するときにその妨げとならないだけの十分な隙間が設けられている。
より具体的には、その溝はテープガイドに形成され、突条部は枠部に形成されている。
このような構成により、ヘッド圧着部のスムーズな回転を保証すると共に、軸部の過度の変形を阻止し、破損を防止することができる。
【発明の効果】
【０００８】
ケースの傾きに対応してヘッド圧着部が回転する際のテープの捩れを少なくして良好な転写状態を維持できる。また、ヘッド圧着部の回転がスムーズにできるとともに軸部の破損が防止できる。
【発明を実施するための最良の形態】
【０００９】
以下、図面を参照して本発明の実施の形態について説明する。図１は本発明の実施の形態に基づく塗膜転写具１の側断面図であり、主として本願発明を説明するのに必要な部材のみを図示してある。図において、符号３は図示しない上ケースと一緒にケース２を構成する下ケースでり、４はケースに回転可能に支承されたテープ供給リールで、大ギヤ５と摩擦により一体的に回転するようになっている。リール４にはテープ６を巻いて構成したパンケーキ７が取付けられている。符号８はテープを巻き取る巻取りリールで、大ギヤ５と噛合う小ギヤ９と一体に回転するようになっている。これらの構成は公知であり、詳細な説明は省略する。
【００１０】
図２は本実施の形態で使用する転写ヘッド１１の斜視図であり、図３は下ケースの転写ヘッド１１の取付けに関連する部分を示す部分斜視図であり、図４及び５は図３における矢視Ａ図及び矢視Ｂ図である。
【００１１】
転写ヘッド１１は大略３つの部分により構成され、その一つは図１において右側の方に位置するヘッド圧着部１２である。ヘッド圧着部１２は先端が圧着部１４となる、平面視略方形の形をした平板状の板状部１３を備えている。板状部１３の幅方向両側縁部にはテープガイド１５、１５が対称に形成されている。テープガイド１５は、板状部１３の後端部２１から前側端部即ち圧着部１４の少し手前までの範囲で、板状部１３に直交する方向に板状部１３の上下に伸びており、その外表面１６は上下方向及び前後方向で外側に若干凸となるように湾曲している。テープガイド１５、１５にはその後端部近くにおいて上下に伸びる溝１７、１７がテープガイド１５、１５の上下方向全幅に渡って形成されている。その前後の側面１８、１９の間の距離即ち溝１７の幅はＡ、外表面１６から底面２０までの距離即ち溝１７の深さはＢである。この溝１７については後述する。
【００１２】
板状部１３の後端部２１の幅方向略中央部には軸部２４がその前端部２５において一体的に結合され、後方へ伸びている。軸部２４は弾性材料製であり、本実施の形態ではプラスチック製でヘッド圧着部１２と一体に形成されている。軸部２４はその後端において後述する取付け固定部２８に一体的に結合している。固定部２８もヘッド圧着部１２、軸部２４と一体に成形することができる。なお、軸部２４の横断面は上下方向の長さが横方向の長さより長くなっている。
【００１３】
取付け固定部２８は本体部２９を備え、その本体部２９は、軸部２４の軸方向に直交する方向に伸び、横断面形状は下向きに凸の半円部分３０と、その半円部分３０の両端から互いに平行に上へ短く伸びる平行部３１、３１とからなる。半縁部分３０の両端部にはその中央部即ち下端部において平面視略方形の小さい切欠き凹部３２がそれぞれ設けられている。また、平行部３１、３１の両端部にはそれぞれ短い突出部３４が形成されている。これら切欠き凹部３２、突出部３４については後述する。
【００１４】
上述の構造を備えた転写ヘッド１１のケース２への取付け方について説明する。転写ヘッド１１はその取付け固定部２８においてケース２に取付け固定される。すなわち、ケース２を構成する下ケース３の内底面３ａには図示しない上ケースに向かって伸びる円筒部４１が形成されており、この円筒部４１の孔４２には上ケースに設けられる軸が嵌るようになっている。円筒部４１の外周上にはその基部即ち下ケース３の内底面から図４において円周方向１８０度隔てた左右の位置及びそれらから９０度隔てた下側の部分に円筒部４１の軸方向に伸びる断面略方形のリブ４３、４３及び４４がが所定の長さで形成されている。リブ４４はリブ４３より長くなっている。転写ヘッド１１をケース２に取り付けた場合、転写ヘッド１１の取付け固定部２８が円筒部４１の図３において下側部分に被さり、リブ４３は取付け固定部２８の突出部３３の下に位置してこれを受止め、リブ４４は切欠き凹部３２に嵌るようになっている。上側ケースの前述した円筒部４１に嵌る軸の周囲にもリブ４３、４３及び４４と同じリブが形成されており、これらが同様に取付け固定部２８の反対側の突出部３３を受止め、切欠き凹部３２に嵌る。これにより取付け固定部２８従ってヘッド１１はケース２に移動、回転ともに不能な状態で取付け固定される。
【００１５】
下側ケース３の内底面３ａには、前述の円筒部４１より先端側において、組み立てたときにヘッド１１の軸部２４の上下に僅かなすきまで位置する規制部材４６、４７が一体的に設けられている。規制部材４６、４７は同じ形状をしており、平面視略長方形で形成されている。規制部材４６、４７の先端中央部には同じ形状の突部４８、４９が形成されている。規制部材４６、４７の基部から所定の長さ範囲に渡って規制部材４６、４７の側縁部を繋ぐ壁部５０、５１が形成されている。図示しない上側ケースの内底面には、規制部材４６、４７及び突部４８、４９に対応して、規制部材４８、４９の幅方向両側縁部において規制部材４８、４９の互いに対向する内側面を受止めるための壁部５０、５１に似た形状の支持部、及び突部４８、４９を収受してその外側面を支持する凹部が形成されている。組立てたときにはこれらの構成により規制部材４６、４７の端部側は上ケースに支持され、剛性を備えた構成となる。組立てたときには前述したように、ヘッド１１の軸部２４が僅かな隙間をもって上下の規制部材４６、４７の間を伸びて位置することとなる。
【００１６】
ケース２の先端部には上下のケースに切欠いて形成された窓孔半部により窓孔２ａが画成され、転写ヘッド１１のヘッド圧着部１２がこの窓孔２ａを通って外に突出している。下ケース３の窓孔半部５５の枠部のうち内底面３ａ側の部分は、内底面３ａから内方へ短く折り曲げられ、図５において上下に伸びる突条部５６として形成されており、組立てられたとき、この突条部５６が前述したヘッド圧着部１４のテープガイド１５の外表面１６に形成された溝１７に、その溝１７の幅方向においては僅かな隙間を、深さ方向においてはより大きい隙間をもって嵌るようになっている。図示してない上ケースについても同様である。
【００１７】
溝１７と突条部５６についてはさらに図６を参照して説明する。図６は図１における矢視Ｃ−Ｃ図である。図示の通り、溝１７内に突条部５６が嵌っている。そして、突条部５６の幅は溝１７の幅Ａより若干狭く，図には誇張して示してあるが突条部５６の両側には僅かな隙間が有る。一方突条部５６の高さは溝の深さＢに比して短く、この部分には十分な隙間が有る。
【００１８】
上記の構成を備えた転写具１において使用時にケースが傾いた場合には、従来の場合と同様に転写ヘッド１１のヘッド圧着部に作用する力が幅方向左右において異なる。転写ヘッド１１はその取付け固定部２８においてケース２に固定されているが、軸部２４は弾性を有するので、軸部２４は取付け固定部２８を根元として図１に矢印で示す方向へ曲げられ、軸部２４が途中の位置で前述した上側の規制部材４８に当接し、その部分で移動の制限を受ける。同時に軸部２４には捩じりモーメントが作用し軸部２４がその弾性により捩れるので、ヘッド圧着部１２は回転することができ、ケース２が傾いても先端の圧着部１４は左右均等に被圧着部に押しつけられ、問題なく塗膜の転写をすることができる。ヘッド圧着部１２が回転する際、前述したようにケース１の突条部５６の端面と溝１７の底面２０との間には十分な隙間が有るので接触することは無く、回転はスムーズに行われる。
【００１９】
使用者によっては過度な力を加えながら転写具を使用する場合が有りうる。その場合、軸部２４に大きな曲げモーメントが作用し大きく曲げ変形して、前述の特許第３３０６４６４号の場合などは軸部が破損する可能性が有るが、本実施の形態では、溝１７とそれに嵌っている枠部５６との間の前後方向での隙間が小さく設定されており、さらに軸部２４は長手方向途中の位置で規制部材４８に当接し、それより前側の軸の長さは短くなるので、僅かな曲げ量でも溝１７の部分は軸部２４の長手方向で大きく移動し、溝１７の前後の側面１８、１９とそれに対面する突条部６の面とが当接し、それ以上の変形を阻止するので、軸部２４が破損することはない。
【００２０】
また、図７に示されるように、本実施の形態では軸部２４はその軸芯回りに回転するようには支承されてはいない。すなわちケース２が傾くなどしてヘッド圧着部１２がが回転しようとするときに、軸部２４の軸芯を中心として回転するのではなく、図の（イ）に示されるように軸部２４と規制部材４６との当接点を支点として回転する状態となる。これに対して前述の特許３３０６４６４号の場合は図の（ロ）に示されるように圧着ブレードの中心軸線周りに回転する。したがってヘッド圧着部１２が図示の様にが同じ距離Ａだけ移動しても、本実施の形態での圧着部１２の回転する角度Ｃは特許第３３０６４６４号の場合のＢより小さくなり、テープの捩れも少なくなり、転写作業への影響が少なくて済む。なお、場合によっては塗膜転写具１を天地逆さまにして、引くのではなく押すようにして使用する場合がある。その場合は規制部材４６に代わって規制部材４７が同じ機能を果たし、同様の作用効果をもたらすことができる。なお、軸部２４に生じる曲げ及び捩じり変形は、外力が除かれれば当然に軸部２４の弾性に元に戻り、転写ヘッド１１全体も元の状態に戻ることとなる。なお、作用する力が除かれれば当然に軸部２４はその弾性により元の状態に復帰する。
【図面の簡単な説明】
【００２１】
【図１】本発明の実施の形態による塗膜転写具の側断面図ある。
【図２】図１の実施の形態で使用する転写ヘッドの斜視図である。
【図３】下ケースの部分斜視図である。
【図４】図３におけるＡ方向での矢視図である。
【図５】図３におけるＢ方向での矢視図である。
【図６】図１におけるＣ−Ｃによる矢視図である。
【図７】ヘッド圧着部の動作を示す図である。
【符号の説明】
【００２２】
１：塗膜転写具    ２：ケース    ２ａ：窓孔    ３：下ケース    １１：転写ヘッド    １２：ヘッド圧着部    １３：板状部    １４：圧着部    １５：テープガイド    １８：溝    ２４：軸部    ２８：取付け固定部    ４１：円筒部    ４６、４７：規制部材    ５６：枠部
【図１】
2006281495.tif 000003
【図２】
2006281495.tif 000004
【図３】
2006281495.tif 000005
【図４】
2006281495.tif 000006
【図５】
2006281495.tif 000007
【図６】
2006281495.tif 000008
【図７】
2006281495.tif 000009